(57)【要約】【課題】入退室管理システムにおいて、特別のキーを新たに設けることなく、また、脅迫者に察知されることなく、緊急事態の発生をセンター装置に通知できるようにする。【解決手段】ゲート４００を通行しようとする利用者は入室用非接触カードリーダ２００又は退室用非接触カードリーダ３００にカードをかざしてカードデータを入退室管理装置１００に入力させる。入退室管理装置１００では同一のカードデータが連続して入力された回数をカウントし、カウント値が所定の閾値に達した際に、ゲート４００で異常が発生していることを通知するメッセージをセンター装置５００に送信する。このため利用者はカードを通常より長くかざすだけで緊急事態の発生を発報することができ、テンキーなどの操作をすることなく、また、脅迫者に悟られることなく緊急事態が発生していることを発報することができる。【選択図】図１
2010170498.tif 000002
【特許請求の範囲】
【請求項１】
ゲートを通行しようとする通行試行者の認証を行って前記通行試行者の前記ゲートの通行許否を判定する通行管理装置であって、
前記通行試行者の認証のための認証情報を入力する認証情報入力部と、
前記ゲートにおける異常を検出するための閾値として同一認証情報の連続入力回数の閾値を記憶する異常検出閾値記憶部と、
前記認証情報入力部により認証情報が入力される度に、同一の認証情報が連続して入力されているか否かを判断するとともに、同一の認証情報が連続して入力された回数が前記異常検出閾値記憶部に記憶されている前記連続入力回数の閾値に達しているか否かを判断し、同一の認証情報が連続して入力された回数が前記連続入力回数の閾値に達している場合に、前記ゲートにおいて異常が発生していると判定する異常判定部とを有することを特徴とする通行管理装置。
【請求項２】
前記通行管理装置は、更に、
上位装置に接続され、前記異常判定部により前記ゲートにおいて異常が発生していると判定された場合に、前記ゲートにおいて異常が発生していることを通知する通知メッセージを前記上位装置に送信する通信部を有することを特徴とする請求項１に記載の通行管理装置。
【請求項３】
前記通行管理装置は、更に、
前記異常検出閾値記憶部に記憶されている前記連続入力回数の閾値を変更する閾値変更部を有することを特徴とする請求項１又は２に記載の通行管理装置。
【発明の詳細な説明】
【技術分野】
【０００１】
本発明は、例えば、オフィスビル、マンション、病院などのエントランス等において入場管理を行うシステムに関する。
【背景技術】
【０００２】
オフィスビルやマンション、病院などのセキュリティ向上のため、出入口にゲートを備え、また、ゲート近傍に認証端末としてテンキー装置、テンキー装置付きカードリーダが配置され、ゲートの通過の際に利用者にテンキーによる暗証番号の打鍵、カードリーダへＩＣ（Ｉｎｔｅｇｒａｔｅｄ  Ｃｉｒｃｕｉｔ）カード等をかざす等を行わせて、利用者の認証を行い、認証に成功した利用者のみ内部への入場を許す入退室管理システムがある。
ゲートは、例えば、通行レーン式のフラッパーゲートや電気錠を備えた扉、自動扉である。
【０００３】
また、例えば、特開２００５−０７６３７７号公報ではテンキー装置付きカードリーダと暗証番号の組み合わせの利用に関する技術が開示されており、カードの盗難、紛失などへの対策として暗証番号を組み合わせることでセキュリティ性を高めている。
【先行技術文献】
【特許文献】
【０００４】
【特許文献１】特開２００５−０７６３７７号公報
【発明の概要】
【発明が解決しようとする課題】
【０００５】
このように特許文献１によれば、カードの盗難、紛失などに対するセキュリティ性を高める効果はあるが、正当な通行権限があるユーザが不審者の脅迫等により正規のカード、暗証番号等を用いてゲートを解錠することを防止することができないという課題がある。
【０００６】
このような脅迫者の脅迫等によりゲートが解錠される事態に対する対策として、カードリーダに併設されたテンキー装置に緊急事態を通知するためのキーを設け、脅迫によりゲートを解錠せざるを得ないような場合には、このキーを押してカードを操作することで、緊急事態が発生していることをセンター装置等に発報するというシステムが考えられる。
しかし、カードリーダにテンキー装置が併設されていない場合は、緊急事態の発生をセンター装置等に通知することができないという課題がある。
また、カードリーダにテンキー装置が併設されている場合でも、緊急事態通知用のキーを新たに設定する必要があるという課題がある。
また、カードリーダ操作時に、緊急事態通知用のキーの押下を脅迫者に察知され、利用者が脅迫者から危害を加えられる恐れがあるという課題がある。
【０００７】
この発明は、上記のような課題を解決することを主な目的の一つとしており、緊急事態通知用のキーを新たに設けることなく、また、脅迫者等に緊急事態の通知動作を察知されることなく、緊急事態の発生を通知できるシステムを実現することを主な目的とする。
【課題を解決するための手段】
【０００８】
本発明に係る通行管理装置は、
ゲートを通行しようとする通行試行者の認証を行って前記通行試行者の前記ゲートの通行許否を判定する通行管理装置であって、
前記通行試行者の認証のための認証情報を入力する認証情報入力部と、
前記ゲートにおける異常を検出するための閾値として同一認証情報の連続入力回数の閾値を記憶する異常検出閾値記憶部と、
前記認証情報入力部により認証情報が入力される度に、同一の認証情報が連続して入力されているか否かを判断するとともに、同一の認証情報が連続して入力された回数が前記異常検出閾値記憶部に記憶されている前記連続入力回数の閾値に達しているか否かを判断し、同一の認証情報が連続して入力された回数が前記連続入力回数の閾値に達している場合に、前記ゲートにおいて異常が発生していると判定する異常判定部とを有することを特徴とする。
【発明の効果】
【０００９】
本発明によれば、同一の認証情報が連続して入力した回数が所定の閾値に達している場合に、ゲートにおける異常を判定し異常を発報できるため、利用者がカードをカードリーダに通常よりも長い時間かざす等により同一の認証情報を連続して入力させて異常を発報させることができるので、緊急事態通知用のキーを新たに設けることなく、また、脅迫者等に緊急事態の通知動作を察知されることなく、緊急事態の発生を通知できる。
【図面の簡単な説明】
【００１０】
【図１】実施の形態１に係る入退室管理システムの構成例を示す図。
【図２】実施の形態１に係る入退室管理装置の構成例を示す図。
【図３】実施の形態１に係る入退室管理装置の動作例を示すフローチャート図。
【図４】実施の形態１に係る入退室管理装置のハードウェア構成例を示す図。
【発明を実施するための形態】
【００１１】
実施の形態１．
図１は、本実施の形態に係る入退室管理システムの構成例を示す。
図１において、入室用非接触カードリーダ２００は、オフィス、居室、病室等の入場が制限されているエリア６００のエントランスに設けられ、エリア６００に入場しようとする利用者が所持している非接触ＩＣカード等から、利用者の認証情報（ユーザ名及び暗証番号等）を入力する。
退室用非接触カードリーダ３００は、エリア６００から退場しようとする利用者が所持している非接触ＩＣカード等から、利用者の認証情報を入力する。
ゲート４００は、エリア６００のエントランスに設けられている通行レーン式のフラッパーゲートや電気錠を備えた扉、自動扉等である。
入退室管理装置１００は、登録している利用者の照合情報を記憶しており、入室用非接触カードリーダ２００又は退室用非接触カードリーダ３００からゲートを通行しようとする利用者（通行試行者）の認証情報を入力し、認証情報と照合情報との照合による認証を行って利用者のゲート４００の通行許否を判定する。入退室管理装置１００は、通行管理装置の例である。
センター装置５００は、入退室管理装置１００が設置されている建物を管理する管理センター等に配置されている入退室管理装置１００の上位装置である。
【００１２】
図２は、本実施の形態に係る入退室管理装置１００の構成例を示す。
【００１３】
図２において、制御部１０１は、入退室管理装置１００の動作の全体を制御する。
カードリーダ管理部１０２は、入室用非接触カードリーダ２００及び退室用非接触カードリーダ３００を管理し、入室用非接触カードリーダ２００及び退室用非接触カードリーダ３００からゲートを通行しようとしている利用者（通行試行者）の認証のための認証情報を入力する。カードリーダ管理部１０２は認証情報入力部の例である。
【００１４】
認証処理部１０３は、カードリーダ管理部１０２が入力した認証情報と照合情報記憶部１０４に記憶されている照合情報を照合して、利用者の通行を許可するか否かを認証する。
また、カードリーダ管理部１０２により認証情報が入力される度に、同一の認証情報が連続して入力されているか否かを判断するとともに、同一の認証情報が連続して入力された回数が後述する異常検出値記憶部１０５に記憶されている連続入力回数の閾値に達しているか否かを判断し、同一の認証情報が連続して入力された回数が連続入力回数の閾値に達している場合に、ゲート４００において異常が発生していると判定し、センター装置５００に対してゲート４００において異常が発生していることを通知する通知メッセージを生成する。
認証処理部１０３は、異常判定部の例である。
【００１５】
照合情報記憶部１０４は、登録されている利用者ごとに、認証情報と照合するための照合情報（ユーザ名及び暗証番号等）を記憶している。
異常検出値記憶部１０５は、ゲート４００における異常を検出するための閾値として同一の認証情報の連続入力回数の閾値を記憶する。
【００１６】
カードデータ一時記憶部１０６は、カードリーダ管理部１０２が入力した認証情報を一時的に記憶する。
連続入力回数カウント部１０７は、認証処理部１０３により同一の認証情報が連続して入力されたと判断された場合に、同一の認証情報が入力された回数（連続入力回数）をカウントする。
【００１７】
扉管理部１０８は、認証処理部１０３により利用者が認証された場合に、ゲート４００を解錠する。
【００１８】
センター装置通信部１０９は、センター装置５００に接続されており、認証処理部１０３により通知メッセージが生成された場合に、センター装置５００に通知メッセージを送信する。
センター装置通信部１０９は、通信部の例である。
【００１９】
閾値変更部１１０は、異常検出値記憶部１０５に記憶されている連続入力回数の閾値を変更する。
【００２０】
入退室管理装置１００は、例えば、図４に示すように、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）と、磁気ディスク装置９２０等の記憶装置と、通信ボード９１５等を備えるコンピュータにより実現可能である。
この場合、入退室管理装置１００の各要素は例えばプログラムにより実現することができる。これらプログラムは、磁気ディスク装置等の記憶装置に格納され、ＣＰＵにより読み出され実行される。
また、ＲＡＭには、ＣＰＵに実行させるプログラムの少なくとも一部が一時的に格納される。
また、ＲＡＭには、ＣＰＵによる処理に必要な各種データが格納される。
例えば、ＲＡＭには、本実施の形態の説明において、「〜の判断」、「〜の照合」、「〜の比較」、「〜の設定」、「〜の登録」、「〜の選択」等として説明している処理の結果を示す情報やデータや信号値や変数値やパラメータが記憶される。
また、入退室管理装置１００の各要素（「〜部」）は、回路であってもよい。また、ＲＯＭに記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。
また、入退室管理装置１００の各要素を「〜ステップ」、「〜手順」、「〜処理」と表現することも可能である。
また、ＣＰＵ９１１は、図４に示すように、カードリーダ９０５、カードリーダ９０５の表示装置９０１、カードリーダ９０５上のテンキー等のキーボード９０２、ゲート４００の電気錠９０３、通行者の撮影用のカメラ９０４等と接続され、これらのハードウェアデバイスを制御する。
【００２１】
次に、本実施の形態に係る入退室管理装置１００の動作例を図３のフローチャートを用いて説明する。
【００２２】
入室用非接触カードリーダ２００又は退室用非接触カードリーダ３００のカード読取範囲に非接触カードがかざされた場合、入室用非接触カードリーダ２００又は退室用非接触カードリーダ３００でカードデータを読み取り、入室用非接触カードリーダ２００又は退室用非接触カードリーダ３００は読み取ったカードデータ（認証情報）を入退室管理装置１００に出力する。
入退室管理装置１００では、カードリーダ管理部１０２が入室用非接触カードリーダ２００又は退室用非接触カードリーダ３００からのカードデータを入力し（Ｓ３０１でＹＥＳ）、認証処理部１０３がカードデータと照合情報記憶部１０４の照合情報との照合を行う（Ｓ３０２）。
照合の結果、カードデータと照合情報が一致せず、ゲート４００の通行が許可されない場合（Ｓ３０４でＮＯ）は、処理がＳ３０１に戻る。
【００２３】
一方、ゲート４００の通行が許可された場合（Ｓ３０３でＹＥＳ）は、認証処理部１０３が、入力されたカードデータをカードデータ一時記憶部１０６に一時的に記憶させる（Ｓ３０４）。
次に、Ｓ３０１でカードデータを入力した後一定時間の間に、カードリーダ管理部１０２が再度カードリーダデータを入力しない場合（Ｓ３０５でＮＯ）は、認証処理部１０３は扉管理部１０８にゲート４００の扉の解錠を指示し、扉管理部１０８が扉を制御して扉を解錠する（Ｓ３０６）。
また、認証処理部１０３は、カードデータ一時記憶部１０６に一時記憶されているカードデータ及び連続入力回数カウント部１０７の連続入力回数のカウント値をクリアする（Ｓ３０７）。
【００２４】
一方、Ｓ３０１でカードデータを入力した後一定時間の間に再度カードデータを入力した場合（Ｓ３０５でＹＥＳ）、すなわち入室用非接触カードリーダ２００、退室用非接触カードリーダ３００が一度カードデータを読み込んだ後連続してカードデータを読み込んだ場合は、認証処理部１０３はＳ３０１で入力したカードデータとＳ３０５で入力したカードデータが同じであるかを判断する（Ｓ３０８）。
そして、同一カードデータでない場合（Ｓ３０８でＮＯ）は、認証処理部１０３は、カードデータ一時記憶部１０６に一時記憶されているカードデータ及び連続入力回数カウント部１０７の連続入力回数のカウント値をクリアし（Ｓ３０９）、Ｓ３０２以降の処理を行う。
【００２５】
一方、同一カードデータである場合（Ｓ３０８でＹＥＳ）は、認証処理部１０３は、連続入力回数カウント部１０７の連続入力回数のカウント値をインクリメントする（Ｓ３１０）。
更に、認証処理部１０３は、連続入力回数カウント部１０７の連続入力回数のカウント値が、異常検出値記憶部１０５の異常検出閾値に達したか否かを判断する（Ｓ３１１）。
連続入力回数のカウント値が異常検出値に達していない場合（Ｓ３１１でＮＯ）は、認証処理部１０３は、Ｓ３０５以降の処理を行う。
一方、連続入力回数のカウント値が異常検出値に達している場合（Ｓ３１１でＹＥＳ）は、認証処理部１０３は、センター装置５００にゲート４００において異常が発生していることを通知する通知メッセージを生成し、センター装置通信部１０９が通知メッセージをセンター装置５００に送信する（Ｓ３１２）。
また、通知メッセージの送信後、認証処理部１０３は、カードデータ一時記憶部１０６に一時記憶されているカードデータ及び連続入力回数カウント部１０７の連続入力回数のカウント値をクリアし（Ｓ３０７）、処理をＳ３０１に戻す。
【００２６】
入室用非接触カードリーダ２００及び退室用非接触カードリーダ３００によるカードデータの読取は、カード読取範囲に非接触カードがかざされている間は、連続して行われる。
そして、同一カードがカード読取範囲にかざされている間は、図３のＳ３０５〜Ｓ３１１の処理が繰り返され、連続入力回数のカウント値がインクリメントされ続け、この結果、連続入力回数のカウント値が異常検出閾値に達した際にセンター装置５００にゲート４００における異常が発報される。例えば、異常検出値記憶部１０５の異常検出閾値を３〜５回のいずれかとし、３〜５回連続して同一のカードデータを入力した場合に、異常をセンター装置５００に発報するようにしてもよい。
このため、利用者が異常を検出させる為に行う操作は、非接触カードをカード読取範囲に通常より長くかざすだけである。
なお、異常検出閾値は固定値としてもよいが、利用状況等を加味して、閾値変更部１１０により閾値を変更してもよい。
【００２７】
このように、本実施の形態によれば、非接触カードをカード読取範囲に通常より長くかざすだけでセンター装置に緊急事態の発生を発報することができ、テンキーなどの操作をすることなく、また、脅迫者に悟られることなく緊急事態が発生していることを、センター装置に発報することができる。
【００２８】
なお、上記では、カードリーダに対してカードデータを読み込ませる例を説明したが、例えば、指紋認証、虹彩認証などの生体認証装置を用いてもよい。
生体認証装置を用いた場合でも、利用者が通常よりも長く指を指紋読取範囲に配置したり、通常よりも長く顔を虹彩読取範囲に配置すること等により、センター装置に緊急事態の発生を発報することができ、テンキーなどの操作をすることなく、また、脅迫者に悟られることなく緊急事態が発生していることを、センター装置に発報することができる。
【符号の説明】
【００２９】
１００  入退室管理装置、１０１  制御部、１０２  カードリーダ管理部、１０３  認証処理部、１０４  照合情報記憶部、１０５  異常検出値記憶部、１０６  カードデータ一時記憶部、１０７  連続入力回数カウント部、１０８  扉管理部、１０９  センター装置通信部、１１０  閾値変更部、２００  入室用非接触カードリーダ、３００  退室用非接触カードリーダ、４００  ゲート、５００  センター装置、６００  エリア。
【図１】
2010170498.tif 000003
【図２】
2010170498.tif 000004
【図３】
2010170498.tif 000005
【図４】
2010170498.tif 000006